(57)【要約】【課題】本発明は、輪状ステータのスロットのスロット外側直線部とスロット内側直線部を巻線と平行とすることにより、巻線巻回時のコントロール不能領域をなくし、整列巻きの歩留まりを向上することを目的とする。【解決手段】本発明によるステータ構造は、輪状ステータ(1)のスロット(3)のスロット外側直線面(3a)とスロット内側直線面(3b)は、巻線ニードル(11)から出て巻回状態の巻線(10)に対して平行に形成されている構成である。【選択図】図１
2006149071.tif 000002
【特許請求の範囲】
【請求項１】
内方へ突出する複数の磁極(2)により形成される複数のスロット(3)を有する輪状ステータ(1)と、前記輪状ステータ(1)の両面に別体又は射出成形による一体成形によって設けられ前記磁極(2)及びスロット(3)の形状にならう磁極形状部(5)及びスロット孔部(6)を有する輪状絶縁キャップ(4)と、前記輪状絶縁キャップ(4)を介して前記各磁極(2)に巻線ニードル(11)によって巻回される巻線(10)とを備え、
前記スロット(3)のスロット外側直線面(3a)及びスロット内側直線面(3b)は、前記巻線ニードル(11)から出て巻回状態の巻線(10)に対して平行に形成されていることを特徴とするステータ構造。
【請求項２】
前記スロット外側直線面(3a)とスロット内側直線面(3b)は互いに平行であることを特徴とする請求項１記載のステータ構造。
【請求項３】
前記スロット外側直線面(3a)とスロット内側直線面(3b)は、前記輪状ステータ(1)の半径方向(R)に対して直交していることを特徴とする請求項１又は２記載のステータ構造。
【請求項４】
前記スロット外側直線面(3a)の中央位置には、前記巻線ニードル(11)を逃がすための逃げ部(6A)が形成されていることを特徴とする請求項１ないし３の何れかに記載のステータ構造。
【発明の詳細な説明】
【技術分野】
【０００１】
本発明は、ステータ構造に関し、特に、輪状ステータのスロットのスロット外側直線面及びスロット内側直線面を、巻線ニードルから出てくる巻線と平行とすることにより、巻線ニードルによる巻線巻回時のコントロール不能領域をなくし、各磁極に巻回する巻線の整列巻きを歩留まりよく行うための新規な改良に関する。
【背景技術】
【０００２】
従来、用いられていたこの種のステータ構造としては、例えば、特許文献１に開示された図３及び図４の構成を開示することができる。
すなわち、図４において符号１で示されるものは輪状鉄芯よりなる輪状ステータであり、この輪状ステータ１には内方へ向けて所定間隔で突出する複数の磁極２が形成され、各磁極２間にはスロット３が形成されている。
【０００３】
前記輪状ステータ１の両面には、図３で示されるように一対の輪状絶縁キャップ４が設けられ、各輪状絶縁キャップ４には、前記磁極２に対応した磁極形状部５及び前記スロット３に対応したスロット孔部６が形成されている。
【０００４】
前述の構成において、輪状ステータ１に対して巻線１０を巻回する場合、図３で示されるように、巻線ニードル１１を各スロット内に内側から挿入し、この巻線ニードル１１を各輪状絶縁キャップ４の外面から磁極２の周囲に巻回させつつ内側から外側の間において往復させることにより、巻線１０は各磁極２に巻回される。
【０００５】
【特許文献１】特開１０−１６４７７８号公報
【発明の開示】
【発明が解決しようとする課題】
【０００６】
従来のステータ構造は、以上のように構成されていたため、次のような課題が存在していた。
すなわち、輪状ステータ１のスロット３の形状に対し、同一の形状を有するスロット孔部６が形成されているため、スロット孔部６の外側直線面６ａと内側直線面６ｂとが、巻線ニードル１１で巻回する時の巻線１０の位置に沿っておらず、ハッチングで示すように巻線１０に対するコントロール不能領域Ａが形成されていた。
【０００７】
このコントロール不能領域Ａは、前記巻線１０の位置と前記外側直線面６ａと内側直線面６ｂとの差に相当するもので、巻線ニードル１１の先端から案内されて出される巻線１０が、このコントロール不能領域Ａにおいて巻き乱れを起こすことがあり、整列巻きにおける大きい障害となっていた。
また、歩留まりの向上も困難であった。
【課題を解決するための手段】
【０００８】
本発明によるステータ構造は、内方へ突出する複数の磁極により形成される複数のスロットを有する輪状ステータと、前記輪状ステータの両面に別体又は射出成形による一体成形によって設けられ前記磁極及びスロットの形状にならう磁極形状部及びスロット孔部を有する輪状絶縁キャップと、前記輪状絶縁キャップを介して前記各磁極に巻線ニードルによって巻回される巻線とを備え、前記スロットのスロット外側直線面及びスロット内側直線面は、前記巻線ニードルから出て巻回状態の巻線に対して平行に形成されている構成であり、また、前記スロット外側直線面とスロット内側直線面は互いに平行である構成であり、また、前記スロット外側直線面とスロット内側直線面は、前記輪状ステータの半径方向に対して直交している構成であり、また、前記スロット外側直線面の中央位置には、前記巻線ニードルを逃がすための逃げ部が形成されている構成である。
【発明の効果】
【０００９】
本発明によるステータ構造は、以上のように構成されているため、次のような効果を得ることができる。
すなわち、輪状ステータのスロットのスロット外側直線面とスロット内側直線面とを、巻線ニードルから出て巻回している巻線に対して平行な状態としているため、このスロット外側直線面及びスロット内側直線面よりも、各々外側及び内側には巻線が巻回されることがなく、従来のような巻き乱れを生じることなく、整列巻きを行うことができる。
【発明を実施するための最良の形態】
【００１０】
本発明は、輪状ステータのスロットのスロット外側直線面及びスロット内側直線面を、巻線ニードルから出てくる巻線と平行とすることにより、巻線ニードルによる巻線時のコントロール不能領域をなくし、各磁極に輪状絶縁キャップを介して巻回する巻線の整列巻きを歩留まりよく行うようにしたステータ構造を提供することを目的とする。
【実施例】
【００１１】
以下、図面と共に本発明によるステータ構造の好適な実施の形態について説明する。
尚、従来例と同一又は同等部分には同一符号を用いて説明する。
図２は本発明による輪状ステータ１を示す要部の平面図であり、この輪状ステータ１には所定角度間隔で内方へ向けて突出する複数の磁極２が形成され、各磁極２間にはスロット３が形成されている。
【００１２】
前記各スロット３のスロット外側直線面３ａ及びスロット内側直線面３ｂは、前述の図４のスロット３の形状とは異なり、後述の巻線１０を巻回する時の巻線ニードル１１の先端から案内されて出る巻線１０の位置に平行でかつ限りなく隙間を少なくして接近している形状に形成されている。尚、前記スロット外側直線面３ａとスロット内側直線面３ｂは互いに平行で、かつ、輪状ステータ１の半径方向Ｒに対して直交するように構成されている。また、スロット外側直線面３ａの中央位置には、外側へ向けて突出する凹状の逃げ部６Ａが形成されている。また、この逃げ部６Ａが有効となるように、輪状絶縁キャップ４の形状もこれにならって形成されている。
【００１３】
前記輪状ステータ１の両面には、図１で示されるように、この輪状ステータ１と同一形状で、前記磁極２に対応する磁極形状部５及び前記スロット３に対応するスロット孔部６を有する輪状絶縁キャップ４が設けられている。
【００１４】
前述の各輪状絶縁キャップ４は、別体として輪状ステータ１に設けた場合について述べているが、他の構成として、射出成形によって輪状ステータ１に対して輪状絶縁キャップ４を一体成形して用いることもできる。
【００１５】
従って、前述の構成において、輪状ステータ１に対して巻線１０を巻回する場合、図１で示されるように、巻線ニードル１１を各スロット３内に内側から挿入し、この巻線ニードル１１を磁極２の周囲に巻回させつつ内側から外側の間において往復させることにより、巻線１０は前記スロット外側直線面３ａ及びスロット内側直線面３ｂに対して極めて接近し、かつ、接触しない状態であると共に、かつ、隙間をかぎりなくなくす状態となるような状態で巻回される。尚、この巻線作業時、巻線ニードル１１の先端の一部が逃げ部６Ａ内に逃げて輪状ステータ１及び輪状絶縁キャップ４との接触を避ける状態で巻線が行われる。
【００１６】
この場合、設計上は、前述のような状態を前提としているため、実際の自動巻線機による巻線作業の場合、巻線１０がスロット外側直線面３ａ及びスロット内側直線面３ｂ（実際には、前記輪状絶縁キャップ４が薄く表面に形成されている）に対して接触することも、まれなケースとして発生するが、この場合、スロット外側直線面３ａ及びスロット内側直線面３ｂによって巻線１０が案内され、整列巻きが円滑に行われる。
【産業上の利用可能性】
【００１７】
本発明は、レゾルバ等の回転検出器に限ることなく、モータ等にも適用可能である。
【図面の簡単な説明】
【００１８】
【図１】本発明によるステータ構造の巻線状態を示す要部の平面図である。
【図２】図１の輪状ステータを示す要部の平面図である。
【図３】従来のステータ構造の巻線状態を示す要部の平面図である。
【図４】図３の輪状ステータを示す要部の平面図である。
【符号の説明】
【００１９】
１    輪状ステータ
２    磁極
３    スロット
３ａ    スロット外側直線面
３ｂ    スロット内側直線面
４    輪状絶縁キャップ
Ｒ    半径方向
５    磁極形状部
６    スロット孔部
１０    巻線
１１    巻線ニードル
【図１】
2006149071.tif 000003
【図２】
2006149071.tif 000004
【図３】
2006149071.tif 000005
【図４】
2006149071.tif 000006